(57)【要約】      （修正有）【課題】周囲の温度が低い場合にもガイドレールへの給油量が不足しにくいエレベーターの給油装置を提供する。【解決手段】給油装置１５の給油器１６は、塗布部２３を有する。塗布部２３は、エレベーターのガイドレールに接触することで、浸み込んでいる潤滑油をガイドレールに塗布する。給油器１６は、ガイドレールに沿って移動する。ガイドシューは、給油器１６とともにガイドレールに沿って移動する。給油装置１５の検出部１７は、ガイドシューおよびガイドレールの間の潤滑性能の低下に対応する事象を検出する。検出部１７が当該事象を検出するときに、潤滑油またはガイドレールが加熱される。【選択図】図２
2020147395.tif 000002
【特許請求の範囲】
【請求項１】
エレベーターのガイドレールに接触することで浸み込んでいる潤滑油を前記ガイドレールに塗布する塗布部を有し、前記ガイドレールに沿って移動する給油器と、
前記給油器とともに前記ガイドレールに沿って移動するガイドシューおよび前記ガイドレールの間の潤滑性能の低下に対応する事象を検出する検出部と、
前記給油器に設けられ、前記検出部が前記事象を検出するときに前記潤滑油を加熱する潤滑油加熱部と、
を備えるエレベーターの給油装置。
【請求項２】
前記潤滑油加熱部は、予め設定された時間帯において前記潤滑油を加熱する
請求項１に記載のエレベーターの給油装置。
【請求項３】
前記ガイドレールに設けられ、前記検出部が前記事象を検出するときに前記ガイドレールを加熱する１つ以上のガイドレール加熱部
を備える請求項１または請求項２に記載のエレベーターの給油装置。
【請求項４】
エレベーターのガイドレールに接触することで浸み込んでいる潤滑油を前記ガイドレールに塗布する塗布部を有し、前記ガイドレールに沿って移動する給油器と、
前記給油器とともに前記ガイドレールに沿って移動するガイドシューおよび前記ガイドレールの間の潤滑性能の低下に対応する事象を検出する検出部と、
前記ガイドレールに設けられ、前記検出部が前記事象を検出するときに前記ガイドレールを加熱する１つ以上のガイドレール加熱部と、
を備えるエレベーターの給油装置。
【請求項５】
前記１つ以上のガイドレール加熱部は、前記ガイドレールが長手方向の一部の領域として第１領域および第２領域を有する場合において、前記第２領域における配置密度より前記第１領域における配置密度が高くなるように配置される
請求項３または請求項４に記載のエレベーターの給油装置。
【請求項６】
前記１つ以上のガイドレール加熱部の少なくともいずれかは、予め設定された時間帯において前記ガイドレールを加熱する
請求項３から請求項５のいずれか一項に記載のエレベーターの給油装置。
【請求項７】
前記検出部は、
前記ガイドシューおよび前記ガイドレールの摺動によって発生する音を計測する音センサーと、
前記音センサーに計測された音に基づいて前記事象を検出する信号処理部と、
を備える
請求項１から請求項６のいずれか一項に記載のエレベーターの給油装置。
【請求項８】
前記検出部は、
前記ガイドシューおよび前記ガイドレールの摺動によって発生する振動を計測する振動センサーと、
前記振動センサーに計測された振動に基づいて前記事象を検出する信号処理部と、
を備える
請求項１から請求項６のいずれか一項に記載のエレベーターの給油装置。
【請求項９】
前記検出部は、
前記ガイドレールが設けられる昇降路の気温を計測する気温センサーと、
前記気温センサーに計測された気温に基づいて前記事象を検出する信号処理部と、
を備える
請求項１から請求項６のいずれか一項に記載のエレベーターの給油装置。
【請求項１０】
前記検出部は、
前記潤滑油の油温を計測する油温センサーと、
前記油温センサーに計測された油温に基づいて前記事象を検出する信号処理部と、
を備える
請求項１から請求項６のいずれか一項に記載のエレベーターの給油装置。
【請求項１１】
前記検出部は、
前記ガイドレールの温度を計測する温度センサーと、
前記温度センサーに計測された温度に基づいて前記事象を検出する信号処理部と、
を備える
請求項１から請求項６のいずれか一項に記載のエレベーターの給油装置。
【発明の詳細な説明】
【技術分野】
【０００１】
本発明は、エレベーターの給油装置に関する。
【背景技術】
【０００２】
特許文献１は、エレベーターの給油装置の例を開示する。給油装置は、ケースと、塗布部材と、吸上げ部材と、伸縮体と、を備える。ケースは、潤滑油を貯留する。塗布部材は、潤滑油をガイドレールに塗布する。吸上げ部材は、ケースに貯留されている潤滑油を塗布部材に供給する。伸縮体は、内部に封入された気体の温度変化によって伸縮する。伸縮体は、気体の温度が高いときに伸張することによって、吸上げ部材を潤滑油の上方に持上げる。伸縮体は、気体の温度が低いときに収縮することによって、吸上げ部材をケースに貯留されている潤滑油に浸す。
【先行技術文献】
【特許文献】
【０００３】
【特許文献１】特開２０１５−１８９５２７号公報
【発明の概要】
【発明が解決しようとする課題】
【０００４】
特許文献１の給油装置は、吸上げ部材が潤滑油に浸る割合を調整することによって給油量を調整する。ここで、給油装置の周囲の温度が低い場合に、吸上げ部材は、粘度が高くなった潤滑油を吸い上げにくくなることがある。この場合に、ガイドレールへの給油量が不足する可能性がある。
【０００５】
本発明は、このような課題を解決するためになされた。本発明の目的は、周囲の温度が低い場合にもガイドレールへの給油量が不足しにくいエレベーターの給油装置を提供することである。
【課題を解決するための手段】
【０００６】
本発明に係る給油装置は、エレベーターのガイドレールに接触することで浸み込んでいる潤滑油をガイドレールに塗布する塗布部を有し、ガイドレールに沿って移動する給油器と、給油器とともにガイドレールに沿って移動するガイドシューおよびガイドレールの間の潤滑性能の低下に対応する事象を検出する検出部と、給油器に設けられ、検出部が事象を検出するときに潤滑油を加熱する潤滑油加熱部と、を備える。
【０００７】
本発明に係る給油装置は、エレベーターのガイドレールに接触することで浸み込んでいる潤滑油をガイドレールに塗布する塗布部を有し、ガイドレールに沿って移動する給油器と、給油器とともにガイドレールに沿って移動するガイドシューおよびガイドレールの間の潤滑性能の低下に対応する事象を検出する検出部と、ガイドレールに設けられ、検出部が事象を検出するときにガイドレールを加熱する１つ以上のガイドレール加熱部と、を備える。
【発明の効果】
【０００８】
本発明によれば、給油装置の給油器は、塗布部を有する。塗布部は、エレベーターのガイドレールに接触することで、浸み込んでいる潤滑油をガイドレールに塗布する。給油器は、ガイドレールに沿って移動する。ガイドシューは、給油器とともにガイドレールに沿って移動する。給油装置の検出部は、ガイドシューおよびガイドレールの間の潤滑性能の低下に対応する事象を検出する。検出部が当該事象を検出するときに、潤滑油またはガイドレールが加熱される。これにより、周囲の温度が低い場合にもガイドレールへの給油量が不足しにくくなる。
【図面の簡単な説明】
【０００９】
【図１】実施の形態１に係るエレベーターの構成図である。
【図２】実施の形態１に係る給油装置の構成図である。
【図３】実施の形態２に係るエレベーターの構成図である。
【図４】実施の形態２に係る給油装置の構成図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係るエレベーターの構成図である。
【００１２】
エレベーター１は、建築物に設けられる。建築物は、複数の階床を有する。エレベーター１において、昇降路２が設けられる。昇降路２は、建築物の複数の階床の各々を貫く。エレベーター１において、複数の乗場３が設けられる。複数の乗場３の各々は、建築物の複数の階床の各々に設けられる。複数の乗場３の各々において、乗場扉４が設けられる。乗場扉４は、昇降路２に通じる扉である。
【００１３】
エレベーター１において、一対のかごガイドレール５が昇降路２に設けられる。一対のかごガイドレール５の各々は、鉛直方向に延びる。一対のかごガイドレール５は、互いに平行である。一対のかごガイドレール５は、例えば左右方向において互いに対向する。一対のかごガイドレール５の各々は、ガイドレールの例である。
【００１４】
エレベーター１において、一対のおもりガイドレール６が昇降路２に設けられる。一対のおもりガイドレール６の各々は、鉛直方向に延びる。一対のおもりガイドレール６は、互いに平行である。一対のおもりガイドレール６は、例えば左右方向において互いに対向する。一対のおもりガイドレール６の各々は、ガイドレールの例である。
【００１５】
エレベーター１は、巻上機７と、主ロープ８と、かご９と、釣合いおもり１０と、制御盤１１と、を備える。
【００１６】
巻上機７は、例えば昇降路２の上部に設けられる。巻上機７は、駆動力を発生させる装置である。
【００１７】
主ロープ８は、巻上機７に巻きかけられる。主ロープ８は、巻上機７が発生させる駆動力によって移動する機器である。主ロープ８の一端は、例えばかご９に設けられる。主ロープ８の他端は、例えば釣合いおもり１０に設けられる。
【００１８】
かご９は、昇降路２に設けられる。かご９は、主ロープ８の移動に追従して昇降路２の内部を鉛直方向に走行することで、建築物の複数の階床の間で利用者などを輸送する装置である。かご９は、複数のかごガイドシュー１２と、かご扉１３と、を備える。
【００１９】
かごガイドシュー１２は、かご９の走行を一対のかごガイドレール５に沿って案内する装置である。かごガイドシュー１２は、例えば上面視でコの字状の部材である。この例において、複数のかごガイドシュー１２は、かご９の上部およびかご９の下部に一対ずつ配置される。かご９の上部およびかご９の下部の各々において、一対のかごガイドシュー１２の一方は、かご９の左側に配置される。かご９の上部およびかご９の下部の各々において、一対のかごガイドシュー１２の他方は、かご９の右側に配置される。左側のかごガイドシュー１２は、左側のかごガイドレール５を前後方向および右方向から囲い込むように配置される。右側のかごガイドシュー１２は、右側のかごガイドレール５を前後方向および左方向から囲い込むように配置される。複数のかごガイドシュー１２の各々は、ガイドシューの例である。
【００２０】
かご扉１３は、利用者などがかご９に乗降しうるようにかご９が複数の階のいずれかに停止しているときに開閉する装置である。かご扉１３は、停止している階床の乗場３に設けられる乗場扉４を連動して開閉させうるように、例えば乗場扉４に係り合う部材を備える。
【００２１】
釣合いおもり１０は、昇降路２に設けられる。釣合いおもり１０は、主ロープ８を通じて巻上機７の一側にかかるかご９の重量による負荷と、主ロープ８を通じて巻上機７の他側にかかる負荷と、の釣合いを取る装置である。釣合いおもり１０は、主ロープ８の移動に追従して昇降路２の内部をおもりガイドレール６に沿って走行しうるように、複数のおもりガイドシュー１４を備える。
【００２２】
おもりガイドシュー１４は、釣合いおもり１０の走行を一対のおもりガイドレール６に沿って案内する装置である。おもりガイドシュー１４は、例えば上面視でコの字状の部材である。この例において、複数のおもりガイドシュー１４は、釣合いおもり１０の上部および釣合いおもり１０の下部に一対ずつ配置される。釣合いおもり１０の上部および釣合いおもり１０の下部の各々において、一対のおもりガイドシュー１４の一方は、釣合いおもり１０の左側に配置される。釣合いおもり１０の上部および釣合いおもり１０の下部の各々において、一対のおもりガイドシュー１４の他方は、釣合いおもり１０の右側に配置される。左側のおもりガイドシュー１４は、左側のおもりガイドレール６を前後方向および右方向から囲い込むように配置される。右側のおもりガイドシュー１４は、右側のおもりガイドレール６を前後方向および左方向から囲い込むように配置される。複数のおもりガイドシュー１４の各々は、ガイドシューの例である。
【００２３】
制御盤１１は、例えば昇降路２の上部に設けられる。制御盤１１は、エレベーター１の動作を制御する装置である。エレベーター１の動作は、例えばかご９の走行を含む。
【００２４】
エレベーター１は、給油装置１５を備える。給油装置１５は、ガイドシューおよびガイドレールの間に潤滑油を供給する装置である。
【００２５】
図２は、実施の形態１に係る給油装置の構成図である。
【００２６】
給油装置１５は、給油器１６と、検出部１７と、潤滑油加熱部１８と、スイッチ１９と、制御部２０と、を備える。
【００２７】
給油器１６は、例えば左右の各々のかごガイドシュー１２の上部に設けられる。給油器１６は、タンク２１と、灯心２２と、塗布部２３と、を備える。タンク２１は、潤滑油を貯留する容器である。タンク２１の形状は、例えば上面視でコの字状である。灯心２２は、潤滑油を例えば毛細管現象などによって吸い上げるひも状の部材である。灯心２２は、少なくとも一部がタンク２１に貯留されている潤滑油に浸るように、タンク２１の内部に配置される。塗布部２３は、ガイドレールに接触することで当該ガイドレールに潤滑油を塗布する部分である。塗布部２３は、潤滑油が浸み込む例えばフェルトなどの材質で形成される。塗布部２３は、灯心２２の一端に接続される。塗布部２３は、例えばかごガイドレール５に接触するように、タンク２１の上部からかごガイドレール５に向けて露出する。
【００２８】
検出部１７は、ガイドシューおよびガイドレールの間の潤滑性能の低下に対応する事象を検出する部分である。ここで、潤滑性能の低下に対応する事象は、例えば潤滑性能に影響する温度などの環境要因の変化、および潤滑性能の低下によって発生する現象などを含む。検出部１７は、例えば音センサー２４、振動センサー２５、気温センサー２６、または油温センサー２７などを計測装置として備える。計測装置は、潤滑性能に関する量を計測する装置である。音センサー２４は、音を計測する装置である。音センサー２４は、例えばかごガイドシュー１２に設けられる。振動センサー２５は、機械的な振動を計測する装置である。振動センサー２５は、例えばかごガイドシュー１２に設けられる。気温センサー２６は、昇降路２の気温を計測する装置である。気温センサー２６は、例えばかご９の上部に設けられる。油温センサー２７は、潤滑油の油温を計測する装置である。油温センサー２７は、例えばタンク２１の内部に設けられる。検出部１７は、信号処理部２８を備える。信号処理部２８は、計測装置が計測した量に基づいて、潤滑性能の低下に対応する事象を検出する部分である。
【００２９】
潤滑油加熱部１８は、例えば電力などのエネルギーの供給を受けて発熱することで潤滑油を加熱する部分である。潤滑油加熱部１８は、例えば左右の各々のかごガイドシュー１２の上部において、給油器１６に設けられる。潤滑油加熱部１８は、例えば投げ込み式の電気ヒーターである。潤滑油加熱部１８は、例えばかご９の上部に設けられる電源から電力の供給を受ける。
【００３０】
スイッチ１９は、回路を開閉することによって潤滑油加熱部１８による発熱の有無を切り替える部分である。この例において、スイッチ１９は、潤滑油加熱部１８に直列に接続される。スイッチ１９は、外部からの制御信号によって開閉する例えばリレーであってもよい。
【００３１】
制御部２０は、給油装置１５の動作を制御する部分である。給油装置１５の動作は、例えば潤滑油加熱部１８による発熱の有無である。制御部２０は、潤滑性能の低下に対応する事象の検出を表す信号を取得しうるように、検出部１７の信号処理部２８に接続される。制御部２０は、制御信号を出力しうるようにスイッチ１９に接続される。
【００３２】
続いて、給油装置１５の動作を説明する。
【００３３】
エレベーター１の通常運転時において、巻上機７は、制御盤１１による制御に基づいて駆動力を発生させる。主ロープ８は、巻上機７が発生させる駆動力によって移動する。かご９は、主ロープ８の移動に追従して昇降路２の内部をかごガイドレール５に沿って走行する。釣合いおもり１０は、主ロープ８の移動に追従して昇降路２の内部をおもりガイドレール６に沿ってかご９の反対の方向に走行する。このとき、かごガイドシュー１２は、かご９を案内しながらかごガイドレール５に沿って移動する。おもりガイドシュー１４は、釣合いおもり１０を案内しながらおもりガイドレール６に沿って移動する。
【００３４】
この例においてかごガイドシュー１２の上部に設けられる給油器１６は、かごガイドレール５に沿って移動する。このとき、塗布部２３は、かごガイドレール５に接触しながらかごガイドレール５に沿って移動する。塗布部２３は、浸み込んでいる潤滑油をかごガイドレール５の表面に塗布する。灯心２２は、タンク２１に貯留されている潤滑油を吸い上げることによって、塗布部２３に潤滑油を供給する。
【００３５】
ここで、例えば冬季などの環境温度が低い時期において、潤滑油の油温は低くなる。このとき、潤滑油の粘度は高くなる。これにより、タンク２１から灯心２２に吸い上げられることで塗布部２３に供給される潤滑油の量が減る。塗布部２３に供給される潤滑油の量が減ると、かごガイドレール５に塗布される潤滑油の量が減る。かごガイドレール５に塗布される潤滑油の量が減ると、かごガイドシュー１２とかごガイドレール５との間の摩擦が大きくなる。このとき、かごガイドシュー１２とかごガイドレール５との摺動によって音および機械的な振動が発生する。すなわち、かごガイドシュー１２とかごガイドレール５との摺動による音または振動の発生は、潤滑性能の低下に対応する事象の例である。また、油音の低下は、潤滑性能の低下に対応する事象の例である。環境温度である昇降路２の気温の低下は、潤滑性能の低下に対応する事象の例である。
【００３６】
音センサー２４は、かごガイドシュー１２およびかごガイドレール５の摺動によって発生する音を計測する。信号処理部２８は、音センサー２４に計測された音に基づいて、潤滑性能の低下に対応する事象を例えば次のように検出する。信号処理部２８は、例えば計測された音の大きさが予め設定される閾値より大きいときに、潤滑性能の低下に対応する事象を検出する。あるいは、信号処理部２８は、例えば計測された音の周波数が予め設定される範囲に含まれるときに、潤滑性能の低下に対応する事象を検出する。このとき、信号処理部２８は、計測された音の例えばピーク周波数に基づいて当該事象の検出を行ってもよい。
【００３７】
また、振動センサー２５は、かごガイドシュー１２およびかごガイドレール５の摺動によって発生する振動を計測する。信号処理部２８は、例えば音センサー２４に計測された音に対する処理と同様の処理により、振動センサー２５に計測された振動に基づいて、潤滑性能の低下に対応する事象を検出する。
【００３８】
また、油温センサー２７は、潤滑油の油温を計測している。信号処理部２８は、油温センサー２７に計測された油温に基づいて、潤滑性能の低下に対応する事象を例えば次のように検出する。信号処理部２８は、例えば計測された油温が予め設定される閾値より低いときに、潤滑性能の低下に対応する事象を検出する。
【００３９】
また、気温センサー２６は、昇降路２の気温を計測している。信号処理部２８は、気温センサー２６に計測された気温に基づいて、潤滑性能の低下に対応する事象を例えば次のように検出する。信号処理部２８は、例えば計測された気温が予め設定される閾値より低いときに、潤滑性能の低下に対応する事象を検出する。
【００４０】
検出部１７が潤滑性能の低下に対応する事象を検出するときに、制御部２０は、潤滑油加熱部１８の発熱を開始させる制御信号をスイッチ１９に出力する。スイッチ１９は、入力された制御信号によって回路を閉じる。潤滑油加熱部１８は、電源から電力の供給を受けて発熱する。潤滑油加熱部１８は、潤滑油を加熱する。潤滑油の油温は高くなる。このとき、潤滑油の粘度は低くなる。これにより、タンク２１から灯心２２に吸い上げられることで塗布部２３に供給される潤滑油の量が増える。塗布部２３に供給される潤滑油の量が増えると、かごガイドレール５に塗布される潤滑油の量が増える。かごガイドレール５に塗布される潤滑油の量が増えると、かごガイドシュー１２とかごガイドレール５との間の摩擦が小さくなる。
【００４１】
制御部２０は、潤滑性能の低下に対応する事象が継続している間、潤滑油加熱部１８の発熱を継続させてもよい。あるいは、制御部２０は、潤滑性能の低下に対応する事象が検出されてから予め設定された時間が経過するまで潤滑油加熱部１８の発熱を継続させてもよい。
【００４２】
制御部２０は、潤滑性能の低下に対応する事象が予め設定された時間帯において検出されるときに、潤滑油加熱部１８を発熱させてもよい。予め設定された時間帯は、例えば駅などに設けられるエレベーター１において、通勤時間帯の前の時間帯などである。なお、制御部２０は、潤滑性能の低下に対応する事象の検出とは独立して、予め設定された時間帯において潤滑油加熱部１８を発熱させてもよい。
【００４３】
以上に説明したように、実施の形態１に係る給油装置１５は、給油器１６と、検出部１７と、潤滑油加熱部１８と、を備える。給油機は、塗布部２３を有する。塗布部２３は、エレベーター１のガイドレールに接触することで、浸み込んでいる潤滑油をガイドレールに塗布する。給油器１６は、ガイドレールに沿って移動する。ガイドシューは、給油器１６とともにガイドレールに沿って移動する。検出部１７は、ガイドシューおよびガイドレールの間の潤滑性能の低下に対応する事象を検出する。潤滑油加熱部１８は、給油器１６に設けられる。潤滑油加熱部１８は、検出部１７が潤滑性能の低下に対応する事象を検出するときに潤滑油を加熱する。
【００４４】
潤滑性能の低下に対応する事象が検出されるときに、潤滑油の粘度は、潤滑油加熱部１８の加熱によって低くなる。これにより、ガイドレールに塗布される潤滑油の量が増える。このため、周囲の温度が低い場合にもガイドレールへの給油量が不足しにくい。また、潤滑油の粘度が低下することによって、潤滑油そのものの潤滑性能も高まる。このため、周囲の温度が低い場合にも、ガイドシューとガイドレールとの間の摩擦が小さくなる。
【００４５】
また、潤滑油加熱部１８は、予め設定された時間帯において潤滑油を加熱する。
【００４６】
これにより、エレベーター１の運転が行われる前に潤滑油の油温の低下を予防できる。また、例えば夜間などの気温が低下する時間帯にエレベーター１の運転が行われない場合に、潤滑油加熱部１８による電力などの消費が抑制される。
【００４７】
また、検出部１７は、音センサー２４と、信号処理部２８と、を備える。音センサー２４は、ガイドシューおよびガイドレールの摺動によって発生する音を計測する。信号処理部２８は、音センサー２４に計測された音に基づいて潤滑性能の低下に対応する事象を検出する。
【００４８】
これにより、潤滑性能の低下の結果として発生する音に基づいて、給油装置１５は、潤滑性能の低下を感知できる。潤滑性能の低下を感知したときに潤滑油を加熱することによって、給油装置１５は、低下した潤滑性能を回復させられる。音の発生によって潤滑性能を回復させるので、異音の発生による不快感を利用者に与えにくくなる。
【００４９】
また、検出部１７は、振動センサー２５と、信号処理部２８と、を備える。振動センサー２５は、ガイドシューおよびガイドレールの摺動によって発生する振動を計測する。信号処理部２８は、振動センサー２５に計測された振動に基づいて潤滑性能の低下に対応する事象を検出する。
【００５０】
これにより、潤滑性能の低下の結果として発生する振動に基づいて、給油装置１５は、潤滑性能の低下を感知できる。潤滑性能の低下を感知したときに潤滑油を加熱することによって、給油装置１５は、低下した潤滑性能を回復させられる。振動センサー２５は機械的な振動を計測するため、給油装置１５は、暗騒音が大きい場合においても潤滑性能の低下を精度よく感知できる。
【００５１】
また、検出部１７は、気温センサー２６と、信号処理部２８と、を備える。気温センサー２６は、ガイドレールが設けられる昇降路２の気温を計測する。信号処理部２８は、気温センサー２６に計測された気温に基づいて潤滑性能の低下に対応する事象を検出する。
【００５２】
これにより、潤滑性能の変化の原因となる気温の変化に基づいて、給油装置１５は、潤滑性能の低下を予見できる。潤滑性能の低下を予見したときに潤滑油を加熱することによって、給油装置１５は、潤滑性能の低下を予防できる。
【００５３】
また、検出部１７は、油温センサー２７と、信号処理部２８と、を備える。油温センサー２７は、潤滑油の温度を計測する。信号処理部２８は、油温センサー２７に計測された油温に基づいて潤滑性能の低下に対応する事象を検出する。
【００５４】
これにより、潤滑性能の変化の原因となる油温の変化に基づいて、給油装置１５は、潤滑性能の低下を予見できる。潤滑性能の低下を予見したときに潤滑油を加熱することによって、給油装置１５は、潤滑性能の低下を予防できる。
【００５５】
なお、給油器１６は、左右の各々のおもりガイドシュー１４の上部に設けられてもよい。潤滑油加熱部１８は、例えば左右の各々のおもりガイドシュー１４の上部において、給油器１６に設けられてもよい。
【００５６】
また、音センサー２４は、おもりガイドシュー１４に設けられてもよい。振動センサー２５は、おもりガイドシュー１４に設けられてもよい。振動センサー２５は、かごガイドレール５またはおもりガイドレール６に設けられてもよい。気温センサー２６は、例えば昇降路２の壁面に設けられてもよい。このとき、気温センサー２６は、計測した気温を表す情報を例えば無線通信によって発信してもよい。
【００５７】
また、検出部１７は、音センサー２４、振動センサー２５、油温センサー２７、気温センサー２６、またはその他のセンサーのいずれかを単一の計測装置として備えてもよい。検出部１７は、音センサー２４、振動センサー２５、油温センサー２７、気温センサー２６、またはその他のセンサーの少なくともいずれかを複数の計測装置として備えてもよい。信号処理部２８は、複数の計測装置に計測された量を組み合わせて潤滑性能の低下に対応する事象を検出してもよい。
【００５８】
また、信号処理部２８は、制御部２０と一体のハードウェアで構成されてもよい。信号処理部２８は、独立したハードウェアで構成されてもよい。信号処理部２８は、音センサー２４、振動センサー２５、油温センサー２７、気温センサー２６、またはその他のセンサーのいずれかと一体のハードウェアで構成されてもよい。
【００５９】
また、潤滑油加熱部１８に供給される電力は、かご９または釣合いおもり１０の制動のときに回収される回生電力であってもよい。これにより、エレベーター１においてエネルギーが有効に利用される。
【００６０】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００６１】
図３は、実施の形態２に係るエレベーターの構成図である。
【００６２】
一対のかごガイドレール５の各々は、長手方向の一部の領域として第１領域Ｒ１および第２領域Ｒ２を有する。第１領域Ｒ１は、例えば基準階の高さに対応する領域である。第２領域Ｒ２は、例えば基準階より高い階床の高さに対応する領域である。
【００６３】
給油装置１５は、１つ以上のガイドレール加熱部２９を備える。この例において、給油装置１５は、複数のガイドレール加熱部２９を備える。
【００６４】
ガイドレール加熱部２９は、例えば電力などのエネルギーの供給を受けて発熱することでガイドレールを加熱する部分である。ガイドレール加熱部２９は、例えば電気ヒーターである。ガイドレール加熱部２９は、例えば磁石、ネジ止め、またはガイドレールをつかむ構造などによってガイドレールに取り付けられる。この例において、複数のガイドレール加熱部２９は、例えば左側のかごガイドレール５の左側面に並んで設けられる。また、複数のガイドレール加熱部２９は、例えば右側のかごガイドレール５の右側面に並んで設けられる。
【００６５】
複数のガイドレール加熱部２９の一部は、ガイドレールの第１領域Ｒ１において鉛直方向に並んで配置される。複数のガイドレール加熱部２９の一部は、ガイドレールの第２領域Ｒ２において鉛直方向に並んで配置される。第１領域Ｒ１におけるガイドレール加熱部２９の配置密度は、第２領域Ｒ２におけるガイドレール加熱部２９の配置密度より高い。ここで、配置密度は、例えばガイドレールの単位長さ当たりに配置されているガイドレール加熱部２９の数である。
【００６６】
図４は、実施の形態２に係る給油装置の構成図である。
【００６７】
給油装置１５の検出部１７は、１つ以上の温度センサー３０を計測装置として備える。１つ以上の温度センサー３０の各々は、ガイドレールの温度を計測する装置である。この例において、検出部１７は、複数の温度センサー３０を備える。複数の温度センサー３０の一部は、例えば左側のかごガイドレール５の左側面に設けられる。複数の温度センサー３０の一部は、例えば右側のかごガイドレール５の右側面に設けられる。
【００６８】
この例において、スイッチ１９は、複数のガイドレール加熱部２９に直列に接続される。スイッチ１９は、図示されない潤滑油加熱部１８に直列に接続されてもよい。
【００６９】
続いて、給油装置１５の動作を説明する。
【００７０】
例えば冬季などの環境温度が低い時期において、ガイドレールの温度は低下する。ガイドレールの温度が低下すると、ガイドレールに塗布されている潤滑油の温度が低下する。潤滑油の温度が低下すると、潤滑油の粘度が高くなる。潤滑油の粘度が高くなることによって、潤滑油そのものの潤滑性能は低くなる。このとき、ガイドシューとガイドレールとの間の摩擦が大きくなる。すなわち、ガイドレールの温度の低下は、潤滑性能の低下に対応する事象の例である。
【００７１】
ここで、複数の温度センサー３０の各々は、かごガイドレール５の温度を計測している。信号処理部２８は、複数の温度センサー３０の各々に計測された温度に基づいて、潤滑性能の低下に対応する事象を例えば次のように検出する。信号処理部２８は、例えば複数の温度センサー３０の各々によって計測された温度から代表温度を導出する。信号処理部２８は、代表温度が予め設定される閾値より低いときに、潤滑性能の低下に対応する事象を検出する。このとき、信号処理部２８は、例えば複数の温度センサー３０の各々に計測される温度の最高値を代表温度として当該事象の検出を行ってもよい。あるいは、信号処理部２８は、例えば複数の温度センサー３０の各々に計測される温度の平均値を代表温度として当該事象の検出を行ってもよい。あるいは、信号処理部２８は、例えば第１領域Ｒ１に配置される温度センサー３０に計測される温度を代表温度として当該事象の検出を行ってもよい。
【００７２】
検出部１７が潤滑性能の低下に対応する事象を検出するときに、制御部２０は、ガイドレール加熱部２９および潤滑油加熱部１８の発熱を開始させる制御信号をスイッチ１９に出力する。スイッチ１９は、入力された制御信号によって回路を閉じる。複数のガイドレール加熱部２９の各々は、電源から電力の供給を受けて発熱する。複数のガイドレール加熱部２９の各々は、例えば一対のかごガイドレール５の各々を加熱する。一対のガイドレールの各々の温度は高くなる。ガイドレールの温度が高くなると、ガイドレールに塗布されている潤滑油の温度が高くなる。潤滑油の温度が高くなると、潤滑油の粘度が低下する。潤滑油の粘度が低下することによって、潤滑油そのものの潤滑性能は高くなる。このとき、ガイドシューとガイドレールとの間の摩擦が小さくなる。
【００７３】
制御部２０は、潤滑性能の低下に対応する事象が継続している間、複数のガイドレール加熱部２９の各々の発熱を継続させてもよい。あるいは、制御部２０は、潤滑性能の低下に対応する事象が検出されてから予め設定された時間が経過するまで複数のガイドレール加熱部２９の各々の発熱を継続させてもよい。
【００７４】
制御部２０は、潤滑性能の低下に対応する事象が予め設定された時間帯において検出されるときに、複数のガイドレール加熱部２９の各々を発熱させてもよい。予め設定された時間帯は、例えば駅などに設けられるエレベーター１において、通勤時間帯の前の時間帯などである。制御部２０は、複数のガイドレール加熱部２９の一部を発熱させてもよい。発熱させられるガイドレール加熱部２９は、例えば第１領域Ｒ１に配置されるガイドレール加熱部２９であってもよい。なお、制御部２０は、潤滑性能の低下に対応する事象の検出とは独立して、予め設定された時間帯において複数のガイドレール加熱部２９の各々を発熱させてもよい。
【００７５】
以上に説明したように、実施の形態２に係る給油装置１５は、給油器１６と、検出部１７と、１つ以上のガイドレール加熱部２９と、を備える。給油機は、塗布部２３を有する。塗布部２３は、エレベーター１のガイドレールに接触することで、浸み込んでいる潤滑油をガイドレールに塗布する。給油器１６は、ガイドレールに沿って移動する。ガイドシューは、給油器１６とともにガイドレールに沿って移動する。検出部１７は、ガイドシューおよびガイドレールの間の潤滑性能の低下に対応する事象を検出する。１つ以上のガイドレールの各々は、ガイドレールに設けられる。１つ以上のガイドレールの各々は、検出部１７が潤滑性能の低下に対応する事象を検出するときにガイドレールを加熱する。
【００７６】
潤滑性能の低下に対応する事象が検出されるときに、ガイドレールに塗布されている潤滑油の粘度は、ガイドレールの加熱によって低くなる。これにより、潤滑油そのものの潤滑性能が高まる。このため、周囲の温度が低い場合にも、ガイドシューとガイドレールとの間の摩擦が小さくなる。また、加熱されたガイドレールによって、当該ガイドレールに接触している塗布部２３に浸み込んでいる潤滑油の温度も高くなる。このとき、塗布部２３に浸み込んでいる潤滑油の粘度が低くなる。これにより、ガイドレールに塗布される潤滑油の量が増える。このため、周囲の温度が低い場合にもガイドレールへの給油量が不足しにくい。
【００７７】
また、ガイドレールは、長手方向の一部の領域として第１領域Ｒ１および第２領域Ｒ２を有する。この場合において、１つ以上のガイドレール加熱部２９は、第２領域Ｒ２における配置密度より第１領域Ｒ１における配置密度が高くなるように配置される。
【００７８】
例えば基準階などの運転頻度が高い部分のガイドレールが重点的に加熱される。これにより、運転頻度が高い部分においても、潤滑性能の低下による異音などの発生が抑制される。なお、第１領域Ｒ１は、基準階以外の運転頻度が高い部分であってもよい。あるいは、第１領域Ｒ１は、個々のエレベーター１において異音が発生しやすい箇所を含む部分であってもよい。あるいは、第１領域Ｒ１は、環境温度が低い箇所を含む部分であってもよい。環境温度が低い箇所は、例えば駅などに設けられるエレベーター１において、プラットホーム階の高さを含む箇所である。
【００７９】
また、１つ以上のガイドレール加熱部２９の少なくともいずれかは、予め設定された時間帯においてガイドレールを加熱する。
【００８０】
これにより、エレベーター１の運転が行われる前にガイドレールの温度の低下を予防できる。また、例えば夜間などの気温が低下する時間帯にエレベーター１の運転が行われない場合に、ガイドレール加熱部２９による電力などの消費が抑制される。
【００８１】
また、検出部１７は、温度センサー３０と、信号処理部２８と、を備える。温度センサー３０は、ガイドレールの温度を計測する。信号処理部２８は、温度センサー３０に計測された温度に基づいて潤滑性能の低下に対応する事象を検出する。
【００８２】
これにより、潤滑性能の変化の原因となるガイドレールの温度の変化に基づいて、給油装置１５は、潤滑性能の低下を予見できる。潤滑性能の低下を予見したときにガイドレールを加熱することによって、給油装置１５は、潤滑性能の低下を予防できる。
【００８３】
なお、温度センサー３０は、おもりガイドレール６に設けられてもよい。温度センサー３０は、１つのガイドレールに対して１つのみ配置されてもよい。
【００８４】
また、この例において、給油装置１５は、潤滑油加熱部１８を備えなくてもよい。給油装置１５は、潤滑油加熱装置と１つ以上のガイドレール加熱装置との両方を備えてもよい。
【００８５】
また、複数のガイドレール加熱部２９は、ガイドレールの長手方向において均等に並んで配置されてもよい。
【符号の説明】
【００８６】
１  エレベーター、  ２  昇降路、  ３  乗場、  ４  乗場扉、  ５  かごガイドレール、  ６  おもりガイドレール、  ７  巻上機、  ８  主ロープ、  ９  かご、  １０  釣合いおもり、  １１  制御盤、  １２  かごガイドシュー、  １３  かご扉、  １４  おもりガイドシュー、  １５  給油装置、  １６  給油器、  １７  検出部、  １８  潤滑油加熱部、  １９  スイッチ、  ２０  制御部、  ２１  タンク、  ２２  灯心、  ２３  塗布部、  ２４  音センサー、  ２５  振動センサー、  ２６  気温センサー、  ２７  油温センサー、  ２８  信号処理部、  ２９  ガイドレール加熱部、  ３０  温度センサー、  Ｒ１  第１領域、  Ｒ２  第２領域
【図１】
2020147395.tif 000003
【図２】
2020147395.tif 000004
【図３】
2020147395.tif 000005
【図４】
2020147395.tif 000006